(57)【要約】【課題】自動洗浄機能を備えた電気集じん機に使用される洗浄手段において、ノズル数削減による洗浄装置構成の簡素化を目的とする。【解決手段】筐体の内部には、集じんユニット２と、流入口、流出口に設けられる開度可変のダンパ４が設けられている。集じんユニット２の洗浄を行う洗浄手段として、ダンパ４の先端に洗浄ノズル３が設けられている。ダンパ４の回転軸は、洗浄水運搬用配管５と、ダンパモータ６の回転軸により構成される。洗浄時には、流入口または流出口どちらか一方のダンパ４を閉鎖し、開放した他方のダンパ４をダンパモータ６によってスイングさせながら、その先端に設けられた洗浄ノズル３から洗浄液を噴射して洗浄を行う。このような構成により、個々のノズルの洗浄範囲を広く取り、より少ないノズルで効率的な洗浄が可能となる。【選択図】図１
2011143379.tif 000002
【特許請求の範囲】
【請求項１】
所定の電圧を印加する放電極板と、アースした接地極板とで構成される集じんユニットと、前記集じんユニットの洗浄を行う洗浄手段と、前記集じんユニットへの集じん空気の流入を制御するダンパ手段とを備えた電気集じん機において、前記洗浄手段として、前記ダンパ手段に洗浄ノズルを設け、洗浄時には、前記ダンパ手段をダンパモータを用いてスイングすることを特徴とした電気集じん機。
【請求項２】
前記洗浄ノズルは、前記ダンパの翼の前縁部翼弦上に噴射方向が翼弦と平行となるように設置したことを特徴とする請求項１記載の電気集じん機。
【請求項３】
前記洗浄ノズルは、ノズル先端がダンパ翼前縁と一致する位置となるように設置したことを特徴とする請求項２記載の電気集じん機。
【請求項４】
前記ダンパの翼列は、対向翼で、かつ、翼列の配列は閉状態時に翼の前後が上下交互になるように配列したことを特徴とする請求項１〜３いずれか一つに記載の電気集じん機。
【請求項５】
前記洗浄ノズルは、閉状態時にダンパ翼前縁側が下向きとなる翼列にのみ設置したことを特徴とする請求項１〜４いずれか一つに記載の電気集じん機。
【請求項６】
前記ダンパは、風上側動作時には、風下側ダンパを閉、風下側動作時には、風上側ダンパを閉となるように洗浄動作をすることを特徴とする請求項１〜５いずれか一つに記載の電気集じん機。
【請求項７】
前記集じんユニット上部に洗浄液を通す配管とこの配管に取り付けられた洗浄ノズルを備え、前記配管を前記ダンパ手段におけるダンパモータによりスイングすることを特徴とした請求項１〜６いずれか一つに電気集じん機。
【請求項８】
前記洗浄ノズルは、フラットスプレー型とし、かつ、スプレー面はスイング軸に平行になるように設置したことを特徴とする請求項１〜７記載の電気集じん機。
【発明の詳細な説明】
【技術分野】
【０００１】
本発明は、空気中の浮遊粒子である塵埃などを捕集する電気集じん機の洗浄に関するものである。
【背景技術】
【０００２】
電気集じん機とは、互いに対向関係で配設された集じん極および放電極に直流の高圧を印加してコロナ放電を生起させ、装置吸込み口より流入した排ガスに含まれる塵埃などに帯電させて集じん極に捕集するものである。しかし、連続運転を行う場合、特に、集じん極に捕集される塵埃がオイル状ミストやダストとの混合物である場合、塵埃は極板上に繰返し堆積し、印加電流の低下を招くため、集じん能力が著しく低下することとなる。そこで、極板上に堆積した塵埃を定期的に洗浄する必要性がある。電気集じん機における洗浄機構の構成は様々であるが、例えば図６に示す電気集じん機１０１のように、洗浄手段における配管１０２がダンパ手段１０３の回転軸となり、ダンパ手段と配管が一体化され、ダンパ手段の閉状態で集じんユニット１０４に向けられるように配置された洗浄手段における洗浄ノズル１０５により、集じんユニットの洗浄を行うものがある。
【先行技術文献】
【特許文献】
【０００３】
【特許文献１】特開２００４−１４１８３１号公報
【発明の概要】
【発明が解決しようとする課題】
【０００４】
このような電気集じん機の洗浄機構では、個々の洗浄ノズルの洗浄範囲が限られるため、多数の洗浄ノズルが必要となり、それに伴い、洗浄配管等の経路の複雑化、大量の洗浄水、およびメンテナンスの煩雑さ等の課題を有していた。
【０００５】
そこで本発明は、上記従来の課題を解決するものであり、洗浄手段における配管、および洗浄ノズルをスイング可能な機構とすることにより、洗浄機構の簡素化、使用洗浄水の削減、およびメンテナンス性の向上した電気集じん機の洗浄機構を提供することを目的とする。
【課題を解決するための手段】
【０００６】
そして、この目的を達成するために、本発明は、所定の電圧を印加する放電極板と、アースした接地極板とで構成される集じんユニットと、前記集じんユニットの洗浄を行う洗浄手段と、前記集じんユニットへの集じん空気の流入を制御するダンパ手段とを備え、前記洗浄手段として、前記ダンパ手段に洗浄ノズルを設け、洗浄時には、前記ダンパをダンパモータを用いてスイングすることを特徴としたものであり、これにより所期の目的を達成するものである。
【発明の効果】
【０００７】
本発明によれば、所定の電圧を印加する放電極板と、アースした接地極板とで構成される集じんユニットと、前記集じんユニットの洗浄を行う洗浄手段と、前記集じんユニットへの集じん空気の流入を制御するダンパ手段とを備え、前記洗浄手段として、前記ダンパ手段に洗浄ノズルを設け、洗浄時には、前記ダンパをダンパモータを用いてスイングすることを特徴としたことにより、別に新たな駆動系を付加することなく、個々のノズルの洗浄範囲の拡張が可能となるので、より少ないノズルで効率的な洗浄が可能となり、さらには、必要な洗浄水量の削減とメンテナンス性の向上に繋がるという効果を奏する。
【図面の簡単な説明】
【０００８】
【図１】本発明の実施の形態１のダンパおよび洗浄装置の構成概要を示す断面図
【図２】本発明の実施の形態１のダンパおよび洗浄装置の構成概要を示す別の断面図
【図３】本発明の実施の形態２における送風時の風上側ダンパの状態図
【図４】本発明の実施の形態２における洗浄時の風上側ダンパの状態図
【図５】本発明の実施の形態３の構成概略図
【図６】従来の洗浄装置の構成概略図（破線は洗浄時）
【発明を実施するための形態】
【０００９】
本発明の請求項１記載の電気集じん機は、所定の電圧を印加する放電極板と、アースした接地極板とで構成される集じんユニットと、前記集じんユニットの洗浄を行う洗浄手段と、前記集じんユニットへの集じん空気の流入を制御するダンパ手段とを備え、前記洗浄手段として、前記ダンパ手段に洗浄ノズルを設け、洗浄時には、前記ダンパをダンパモータを用いてスイングすることを特徴としたものである。これにより、別に新たな駆動系を付加することなく、個々のノズルの洗浄範囲の拡張が可能となるので、より少ないノズルで効率的な洗浄が可能となり、さらには、必要な洗浄水量の削減とメンテナンス性の向上に繋がるという効果を奏する。
【００１０】
また、前記洗浄ノズルは、前記ダンパの翼の前縁部翼弦上に噴射方向が翼弦と平行となるように設置したものである。これにより、整流の妨げとなるダンパ翼面上の突起物がなく、送風時、特に高風速時、あるいは迎角の有る風量制御時の整流効果が向上し、機内圧損の低下、ひいては送風機消費電力の削減につながるという効果を奏する。
【００１１】
また、前記洗浄ノズルは、ノズル先端がダンパ翼前縁と一致する位置となるように設置したことを特徴とした構成にしてもよい。これにより、前縁部分に整流の妨げとなる突起物がなくなり、送風時、特に高風速時、あるいは迎角の有る風量制御時の整流効果が向上し、機内圧損の低下、ひいては送風機消費電力の削減につながるという効果を奏する。
【００１２】
また、前記ダンパの翼列は、対向翼で、かつ、翼列の配列は閉状態時に翼の前後が上下交互になるように配列したものである。これにより、風上側ダンパ手段において、洗浄時にはダンパ翼前縁側を風下（ユニット）方向へ、送風時には、風上方向へ開閉することが可能となるので、風上側、風下側それぞれのダンパ構造の区別が不要となり、製作時のコスト削減、あるいはメンテナンス性の向上につながるという効果を奏する。
【００１３】
また、洗前記洗浄ノズルは、閉状態時にダンパ翼前縁側が下向きとなる翼列にのみ設置したものである。これにより、前記洗浄手段に備えられた洗浄ノズルのノズル孔は、非洗浄時、水抜き孔としての役割を兼用可能となるので、洗浄後の配管内の残留水を自然排水することが可能となり、配管、および集じんユニットの乾燥時間の短縮につながるという効果を奏する。
【００１４】
また、前記ダンパは、風上側動作時には、風下側ダンパを閉、風下側動作時には、風上側ダンパを閉となるように洗浄動作をするものである。これにより、風上側の洗浄動作時には、風下側ダンパを閉、風下側洗浄動作時には、風上側ダンパを閉となるので、洗浄時、風上、風下双方の機外への洗浄水の飛散を回避できるという効果を奏する。
【００１５】
また、前記集じんユニット上部に洗浄液を通す配管とこの配管に取り付けられた洗浄ノズルを備え、前記配管を前記ダンパ手段におけるダンパモータによりスイングするものである。これにより、集じんユニット前後にデミスタフィルタ等のプレフィルタが設置され、ダンパ位置に備えられた前記洗浄手段では集じんユニットの洗浄が困難な場合でも、フィルタ洗浄用配管とは別に集じんユニット上部に備えられた前記洗浄手段を、ダンパモータの駆動力を利用し該配管をスイングすることにより、別に新たな駆動系を付加することなく、個々のノズルの洗浄範囲の拡張が可能となるので、より少ないノズルで効率的な洗浄が可能という効果を奏する。
【００１６】
また、前記洗浄ノズルは、フラットスプレー型とし、かつ、スプレー面はスイング軸に平行になるように設置したことを特徴としたものである。これにより、各々のノズルの洗浄範囲をダンパ翼スパン方向に広くもたせることが可能となり、加えて、スイング角度を可能な限り大きくとることで、より少ないノズルで高効率な洗浄装置が提供可能という効果を奏する。
【００１７】
以下、本発明の実施の形態について図面を参照しながら説明する。
【００１８】
（実施の形態１）
本発明の第１の実施の形態の電気集じん機を、図１を用いて説明する。
【００１９】
本実施の形態の電気集じん機は、図示しないが、箱型の筐体の対向する２面を空気の流入口と流出口としている。筐体の内部には、集じんユニット２と、流入口、流出口に設けられる開度可変のダンパ４が設けられている。集じんユニット２の洗浄を行う洗浄手段として、ダンパ４の先端に洗浄ノズル３が設けられている。ダンパ４の回転軸は、洗浄水運搬用配管５と、ダンパモータ６の回転軸により構成される。洗浄ノズル３は、ダンパ翼４ａの前縁部翼弦上に噴射方向が翼弦に平行となるように設置され、洗浄水は、洗浄水運搬用配管５へポンプにより循環され、洗浄水運搬用配管５から分岐される分岐配管７により各々の洗浄ノズル３へ運搬される。なお、図２に示すように、洗浄ノズル３は、ダンパ翼４ａの前縁部にノズル先端がダンパ翼４ａ前縁と一致する位置となるように設置した構成にしてもよい。但し、この場合の洗浄ノズル３の取付構造は、洗浄ノズル３のメンテナンス性を考慮し、ダンパ翼４ａ内部に埋め込む構造でなく、着脱可能となるように構成するのが望ましい。
【００２０】
次に、この電気集じん機の動作について説明する。通常の運転時、すなわち、集じんを行うときには、外部の送風機（図示せず）を運転して、粉塵を含んだ空気を電気集じん機内に送り込み、集じんユニット２には、高電圧を印加し、粉塵などを除去することになる。除去した粉塵などは、集じんユニット２の集じん極板（図示せず）に付着するが、堆積すると除去率の低下につながるので、付着した粉塵などを、洗い流す必要が発生する。付着した粉塵を洗い流す際には、まず、電気集じん機（集じんユニット２）を停止する。次に、流入口または流出口どちらか一方のダンパ４を閉鎖する。さらに、開放した他方のダンパ４をダンパモータ６によってスイングさせながら、その先端に設けられた洗浄ノズル３から洗浄液を噴射する。
【００２１】
上記構成によれば、洗浄ノズル３を備えたダンパ翼４ａをダンパモータ６を用いてスイングする構成とすることにより、別に新たな駆動系を付加することなく、個々のノズルの洗浄範囲の拡張が可能となるので、より少ないノズルで効率的な洗浄が可能となる。さらには、必要な洗浄水量の削減とメンテナンス性の向上に繋がるという効果を奏する。また、ダンパ翼４ａの翼面上、あるいは翼前縁部に整流の妨げとなる突起物がないため、送風時、特に高風速時、あるいは迎角の有る風量制御時の整流効果が向上し、機内圧損の低下、ひいては送風機消費電力の削減につながるという効果を奏する。
【００２２】
また、洗浄ノズル３のスイング幅は、任意に変更可能であるが、個々の洗浄ノズル３のスプレー形状、噴射圧、噴射流量、および被洗浄物までの距離等から算出される洗浄範囲を考慮し、高効率なノズル配置となるよう決定する。例えば、スプレー形状をフラットスプレー型とすることで、各々のノズルに対し横方向（ダンパ翼４ａスパン方向）に広範囲に噴射し、かつ、スイング幅を可能な限り大きくとることで、より少ないノズルでより広範囲を洗浄可能となる。但し、水平より上方への噴射の場合、噴射水が落下する洗浄水に巻き込まれることで、ノズルからの噴射エネルギが落下エネルギに相殺され、非効率であるため、制約がない限りは水平より下方の範囲内でのスイングが望ましい。
【００２３】
（実施の形態２）
図３、４において、図１および２と同様の構成要素については同一の符号を付し、その詳細な説明は省略する。
【００２４】
図３、４は本発明の第２の実施の形態の電気集じん機であり、図３は送風時の風上側のダンパ４の状態図、および図４は洗浄時の風上側のダンパの状態図を示す。図３、４に示すように、ダンパ翼４ａは対向翼で構成され、かつ、翼列の配列は、閉状態時に翼前後が上下交互となるように上から配置される。すなわち、閉鎖状態では、ダンパ翼４ａの前縁同士、後縁同士が重なるようになる。このダンパ４は、送風時には、図３に示すように、各ダンパ翼４ａ前縁（洗浄ノズル３）側は、風上方向へ向くように開く。さらに、洗浄時には、図４に示すように、風下（ユニット）方向へ向くように開くことになる。
【００２５】
上記構成によれば、風上側のダンパ４は、洗浄時にはダンパ翼４ａの前縁側を風下（ユニット）方向へ、送風時には、風上方向へ開くことが可能となり、風上側と風下側のダンパ構造の区別が不要となるために、製作時のコスト削減、あるいはメンテナンス性の向上につながるという効果を奏する。
【００２６】
また、洗浄手段における洗浄ノズルは、閉状態時にダンパ翼４ａの前縁側が下向きとなる翼（例えば、図３における真ん中の翼）にのみ設置した構造としても良い。但し、閉状態時に自然排水される洗浄水が機外に漏水することを避けるため、前記閉状態時に前縁側が下向きとなるダンパ翼４ａは上向きとなるダンパ翼４ａに対して重複部分８が機内側にくるように設置するのが望ましい。
【００２７】
上記構成によれば、前記洗浄手段に備えられた洗浄ノズルのノズル孔は、非洗浄時、水抜き孔となる。従って、洗浄後の配管内の残留水を自然排水することが可能となり、配管、および集じんユニットの乾燥時間の短縮につながるという効果を奏する。なお、風下側ダンパにおいても構造上は風上、風下両側への開閉が可能であるが、機器動作時には、その目的上、送風時、洗浄時ともユニット方向へ開閉するよう制御するものとする。
【００２８】
さらに、洗浄時のダンパ４の開閉タイミングは、風上側動作時には、風下側を閉、風下側動作時には風上側を閉となるように制御するものとし、上記構成によれば、洗浄時の風上、風下双方の機外への洗浄水の飛散を回避できるという効果を奏する。
【００２９】
（実施の形態３）
また、図５に示すように、本発明の第３の実施の形態の電気集じん機は、集じんユニット２と、集じんユニット２の上部に備えられた上部配管９と、集じんユニット２の風上側、風下側にそれぞれ設置されたプレフィルタ１０と、ダンパモータ６と、ダンパモータ６の動力を前記上部配管９に伝達するワイヤー１１により構成される。上部配管９は配管軸受け部分が滑らかに回転するよう設置され、ダンパモータ６とその動力を伝達するワイヤー１１により連結される。
【００３０】
一般に電気集じん機には、集じんユニット２に比較的大きな煤塵が進入しないように、集じんユニット２風上側にプレフィルタ１０が備えられる。この場合、ダンパ４の位置から洗浄液を噴射する洗浄では集じんユニット２に洗浄液は到達せず、その洗浄は困難である。集じんユニット２は、上部に設けられた洗浄手段により洗浄を行うよう構成されたものが多い。このため、上記構成によれば、集じんユニット２の風上側にプレフィルタが備えられた電気集じん機においても、上部配管９をダンパモータ６を用いてスイングすることにより、別に新たな駆動系を付加することなく、個々のノズルの洗浄範囲の拡張が可能となるので、より少ないノズルで効率的な洗浄が可能であるという効果を奏する。
【産業上の利用可能性】
【００３１】
本発明にかかる電気集じん機の洗浄機構は、洗浄手段においてより少ないノズルで高効率な洗浄を可能とするものであるので、省スペース性が要求される小型の電気集じん機等に有効である。
【符号の説明】
【００３２】
２    集じんユニット
３    洗浄ノズル
４    ダンパ
５    洗浄水運搬用配管
６    ダンパモータ
７    分岐配管
８    （翼列の）重複部分
９    上部配管
１０  プレフィルタ
１１  ワイヤー
【図１】
2011143379.tif 000003
【図２】
2011143379.tif 000004
【図３】
2011143379.tif 000005
【図４】
2011143379.tif 000006
【図５】
2011143379.tif 000007
【図６】
2011143379.tif 000008